(57)【要約】【課題】録音ボタンを押下せず、音声だけ録音が可能で、録音したい音声を取りこぼしなく全て録音することができる車載無線機を提供する。また、他移動局宛の配車指示であっても録音できるため、他移動局が受けた情報も再生して聞くことができ、エリアの配車情報をより確実に把握することができる車載無線機を提供する。【解決手段】配車センタから受信した信号について、音声データであることを検知する検知部と、該検知部が音声データを検知した場合に、メモリに自動的に音声の録音を開始するＭＰＵ部とを備え、該メモリに録音する。【選択図】図２
2010278964.tif 000002
【特許請求の範囲】
【請求項１】
配車センタから送信された信号を受信するＲＦ部と、該受信された信号を復調する復調部と、該復調された信号をデフレーミングしたデータを出力するチャネルコーデック部と、該デフレーミングされたデータが音声データであるか否かを判別し、当該音声データと共に録音開始信号を出力する検知部と、該録音開始信号に応じてメモリに当該音声データを書き込む制御部と、前記メモリとを備えたことを特徴とする車載無線機。
【発明の詳細な説明】
【技術分野】
【０００１】
本発明は、タクシーＧＰＳ（ Global Positioning System ）−ＡＶＭ（ Automatic Vehicle Monitoring System ）システムの移動局の車載無線機に搭載している録音機能に関する。
【背景技術】
【０００２】
図１は、従来のタクシーＧＰＳ−ＡＶＭシステムの一例を示す図である。図１のシステムは、タクシーである移動局（車載無線機）と、車載無線機に配車等の指示をする配車センタとから構成される。１００は車載無線機、１０１は配車センタ、１１は車載無線機１００の無線ユニット、１２は車載無線機１００の操作表示ユニット、１３は無線ユニット１１と操作表示ユニット１２間でシリアルデータ信号を送受信するためのシリアルデータ信号線である。また、無線ユニット１１において、１０３はアンテナを介して配車センタ１０１と無線信号を送受信するためのＲＦ部、１０５は変復調部、１０４はＲＦ部１０３からの信号をデジタル信号に変換（Ａ／Ｄ変換）し、変復調部１０４からの信号をアナログ信号に変換（Ｄ／Ａ変換）する変換部、１０６はチャネルコーデック部、１０７はＭＰＵ部、１０８はメモリ、１１０は音声コーデック部、１１１はＤ／Ａ変換部、１１２はスピーカ（ＳＰ）、１２０はマイク（ＭＩＣ）、１２１はＡ／Ｄ変換部である。また、操作表示ユニット１２において、１１３はＭＰＵ部、１１４は検知部、１１７は再生ボタン、１１８は録音ボタンである。
【０００３】
このように、移動局１００は、操作表示ユニット１２と無線ユニット１１とから構成され、操作表示ユニット１２及び無線ユニット１１相互間をシリアルデータ信号線１３によって結合している。
また、配車センタ１０１と車載無線機（移動局）１００間とでは、それぞれのアンテナを介して、無線通信によって、音声データや文字データ等のデータ信号の、双方向伝達を行っている。
【０００４】
図１において、無線ユニット１１では、配車センタ１０１から送信される電波がアンテナを介して受信され、ＲＦ部１０３に入力される。ＲＦ部１０３は、入力された電波を無線周波数からベースバンド帯の信号に周波数変換し、変換部１０４に出力する。変換部１０４は、ＲＦ部１０３から入力された信号をデジタル信号に変換（Ａ／Ｄ変換）し変復調部１０５に出力する。
変復調部１０５は、入力されたデジタルデータ信号を復調し、チャネルコーデック部１０６に出力する。チャネルコーデック部１０６は、変復調部１０５から入力された信号をデフレームし、ＭＰＵ部１０７に出力する。ＭＰＵ部１０７は、無線ユニット１１全体の制御を行う制御手段である。例えば、ＭＰＵ部１０７は、チャネルコーデック部１０６から入力されたフレームデータから、音声データをメモリ１０８に格納する。
また例えば、ＭＰＵ部１０７は、チャネルコーデック部１０６から入力されたフレームデータから、音声データを音声コーデック部１１０に出力する。
【０００５】
音声コーデック部１１０は、音声の復号を行い、Ｄ／Ａ変換部１１１に出力する。Ｄ／Ａ変換部１１１は、入力されたデータをアナログ信号に変換し、スピーカ１１２に出力する。スピーカ１１２は、入力された信号を音声に変換して出力する。
上述のように、移動局１００の無線ユニット１１は、スピーカ１１２を搭載しており、配車センタ１０１から受信した音声を、無線ユニット１１のスピーカ１１２から出力して聞くことができる。
【０００６】
移動局１００の操作表示ユニット１２は、録音ボタン１１８と再生ボタン１１７を実装しており、操作者が録音ボタン１１８を押下した場合に録音を開始し、操作者が再生ボタン１１７を押下した場合に録音された音声の再生を開始する。
即ち、操作者が録音ボタン１１８を押した場合に、録音開始信号が録音ボタン１１８から検知部１１４に出力され、操作者が再生ボタン１１７を押した場合に、再生開始信号が再生ボタン１１７から検知部１１４に出力される。
【０００７】
検知部１１４は、録音ボタン１１８が押下されたことを検知した場合には、録音のための割り込みコマンドを発生し、ＭＰＵ部１１３に出力する。ＭＰＵ部１１３は、操作表示ユニット１２全体の制御を行う制御手段であり、検知部１１４から入力されたコマンドに基づいたシリアルデータを、シリアルデータ信号線１３を介して無線ユニット１１のＭＰＵ部１１３に出力する。ＭＰＵ部１１３は入力された録音開始のコマンドによって、録音を開始する。
即ち、無線ユニット１１のＭＰＵ部１１３は、ＲＦ部１０３、変換部１０４、変復調部１０５、及びチャネルコーデック部１０６を経由して、配車センタ１０１より音声データを受信し、メモリ１０８に、受信した音声データの格納を開始する。
【０００８】
検知部１１４は、再生ボタン１１７が押されたことを検知した場合には、再生のための割り込みコマンドを発生し、ＭＰＵ部１１３に出力する。ＭＰＵ部１１３は、検知部１１４から入力されたコマンドに基づいたシリアルデータを、シリアルデータ信号線１３を介して無線ユニット１１のＭＰＵ部１１３に出力する。ＭＰＵ部１１３は入力された再生開始のコマンドによって、再生を開始する。
即ち、無線ユニット１１のＭＰＵ部１１３は、メモリ１０８に録音された音声データを読出し、音声コーデック部１１０、Ｄ／Ａ変換部１１１、及びスピーカ１１２を経由して音声データの再生を開始する。
【０００９】
次に、図１によって、車載無線機１００から配車センタ１０１に送信する一例を、音声通信の場合について簡単に説明する。
操作者が、マイク（ＭＩＣ）１２０に音声を入力すると、マイク１２０は、音声を電気信号に変換してＡ／Ｄ変換部１２１に出力する。Ａ／Ｄ変換部１２１は、入力された信号をデジタル信号に変換して音声コーデック部１１０に出力する。
【００１０】
音声コーデック部１１０は、入力された信号を、音声符号化してＭＰＵ部１０７を介して、チャネルコーデック部１０６に入力された音声データを出力する。チャネルコーデック部１０６は、入力された音声データをフレーム化して変復調部１０５に出力する。変復調部１０５は、入力されたデータを変調して変換部１０４に出力する。変換部１０４は、入力された変調信号をアナログ信号に変換（Ｄ／Ａ変換）して、ＲＦ部１０３に出力する。
ＲＦ部１０３は、入力された信号を無線周波数帯の信号に変換して、アンテナを介して、配車センタ１０１に送信する。
【先行技術文献】
【特許文献】
【００１１】
【特許文献１】特開２００１−４４９１６号公報
【発明の概要】
【発明が解決しようとする課題】
【００１２】
従来までは、操作表示ユニット上の録音ボタンを押下してから録音を行っていた。しかし、配車センタからは音声を受信してから録音開始ボタンを押下したのでは、録音したい音声を取りこぼしてしまう可能性がある。
また、特許文献１の記載のように、配車の指示が自移動局宛の時、即ち、受信信号があった時に自動的に録音を開始するようにしている例もある。しかし、特許文献１では、音声信号と文字データとを区別しておらず、音声信号だけではなく、文字データまで録音してしまう可能性がある。また、自移動局宛の受信信号しか録音できないため、自移動局が存在するエリアでどのような配車指示がなされているか確実に把握できない場合がある。
そこで、本発明の目的は、録音ボタンを押下せず、音声だけ録音が可能で、録音したい音声を取りこぼしなく全て録音することができる車載無線機を提供することにある。また、他移動局宛の配車指示であっても録音できるため、他移動局が受けた情報も再生して聞くことができ、エリアの配車情報をより確実に把握することができる車載無線機を提供することにある。
【課題を解決するための手段】
【００１３】
上記の課題を解決するために、本発明は、配車センタから受信した信号について、音声データであることを検知する検知部と、該検知部が音声データを検知した場合に、メモリに自動的に音声の録音を開始するＭＰＵ部とを備え、該メモリに録音する車載無線機である。
好ましくは、上記発明の車載無線機は、検知部で音声信号を認識するごとに、メモリ内の同じアドレスに上書きすることで、メモリの容量を減らすものである。
【発明の効果】
【００１４】
本発明によれば、車載無線機（移動局）において、操作者のボタン押下なしで、音声を受信しただけ録音が可能で、録音したい音声を取りこぼしなく全て録音することができる。また、他の車載無線機宛の配車指示であっても録音できるため、他の車載無線機が受けた情報も再生して聞くことができ、エリアの配車情報をより確実に把握することができる。
また、本発明によれば、音声を録音するためのメモリの容量を減らすことができる。
【図面の簡単な説明】
【００１５】
【図１】従来のタクシーＧＰＳ−ＡＶＭシステムの一例を示す図である。
【図２】本発明のタクシーＧＰＳ−ＡＶＭシステムの一実施例を示す図である。
【発明を実施するための形態】
【００１６】
以下、本発明を実施例によって詳細に説明する。しかし、本発明は、上述の実施例に限定されるわけではなく、本発明が属する技術分野において、通常の知識を有する者であれば、本発明の思想と精神に基づいて、本発明を修正若しくは変更できる発明が含まれることは勿論である。
なお、本書では、既に説明した図１を含め、以降の各図の説明において、共通な機能を有する構成要素には同一の参照番号を付し、説明を省略する。
【００１７】
図２によって、本発明のタクシーＧＰＳ−ＡＶＭシステムの一実施例を説明する。
本発明の一実施形態の車載無線機は、配車センタから送信された信号を受信するＲＦ部と、該受信された信号を復調する復調部と、該復調された信号をデフレーミングしたデータを出力するチャネルコーデック部と、該デフレーミングされたデータが音声データであるか否かを判別し、当該音声データと共に録音開始信号を出力する検知部と、該録音開始信号に応じてメモリに当該音声データを書き込む制御部と、前記メモリとを備えたものである。
【００１８】
図２は、本発明のタクシーＧＰＳ−ＡＶＭシステムの一実施例を示す図である。図２では、移動局を示す無線機及び操作表示器は、１台のみを示している。しかし、同じ構成（無線機及び操作表示器）の移動局がシステム内に複数台設置されているものとする。
２００は車載無線機、２１は車載無線機２００の無線ユニット、２２は車載無線機２００の操作表示ユニットである。無線ユニット２１において、２０９は検知部、２０７はＭＰＵ部である。他は、図１と同一である。また操作表示ユニット２２において、２１３はＭＰＵ部、２１４は検知部、２１８は録音開始ボタン、２１９は録音停止ボタンである。他は、図１と同一である。
【００１９】
図２によって、本発明の車載無線機を実現するための、録音の仕組みを説明する。
録音を行うときは、配車センタ１０１より受信した電波は、無線ユニット２１のＲＦ部１０３で受信され、変換部１０４及び変復調部１０５を介してチャネルコーデック部１０６に入力される。
チャネルコーデック部１０６は、入力されたデータをデフレーミングして、検知部２０９に出力する。検知部２０９は、入力されたフレームデータ内の同期ワードパターンの内容によって、入力されたデータが音声データか否かを判別する。このパターンの内容は、例えばＡＲＩＢ  ＳＴＤ−Ｔ６１規格等で定められている。
【００２０】
検知部２０９は、入力されたデータが音声データであることを検知すると、ＭＰＵ部２０７に入力されたデータを出力すると共に、録音開始信号を出力する。ＭＰＵ部２０７は、録音開始信号に応じて、入力された音声データをメモリ１０８に書込み、メモリ１０８に音声データを格納する。
一方、検知部２０９は、入力されたデータが位置情報等の音声以外のデータであれば、図示しない表示装置等に出力する。
【００２１】
上記実施例によれば、タクシーＧＰＳ−ＡＶＭシステムの車載無線機（移動局）において、配車センタより音声信号を受信すると自動的メモリに録音されるので、録音したい音声を取りこぼすことなく、再生することができる。
即ち、上記実施例の車載無線機（移動局）によれば、操作者のボタン押下なしで、音声を受信しただけ録音が可能で、録音したい音声を取りこぼしなく全て録音することができる。
さらに、他の車載無線機宛の配車指示であっても録音できるため、他の車載無線機が受けた情報も再生して聞くことができ、エリアの配車情報をより確実に把握することができる。
【００２２】
なお、図２の実施例では、変復調部部１０５、変換部１０４、ＲＦ部１０３をそれぞれ、送信機能と受信機能を兼ね備えるものとして説明した。しかし、送信機能部を、変調部、Ｄ／Ａ変換部、及び送信ＲＦ部で構成し、受信機能部を、復調部、Ａ／Ｄ変換部、及び受信ＲＦ部で構成し、共用器等のアンテナ切替手段を備えて、送信機能と受信機能分離しても良いことは勿論のことである。
【００２３】
メモリ１０８のデータ格納は、受信した音声の録音を続けると、大きな容量が必要となる。このため、本発明の他の実施例では、図２に示すように、操作表示ユニット２２に録音開始ボタン２１８と録音停止ボタン２１９を設けた。
例えば、チャネルコーデック部１０６で音声データを認識する都度、メモリ１０８の同じアドレスから録音を行う。即ち、メモリ１０８の同じデータ領域に音声データを上書き保存する。
【００２４】
例えば、図２の実施例では、操作表示ユニット２２において、操作者が録音した音声を保存したい場合に録音停止ボタン２１９を押下する。
例えば操作者が、録音停止ボタン２１９を押した場合には、操作表示ユニット２２の検知部２１４は、録音停止ボタン２１９が押下されたことを検知する。この録音停止ボタン２１９の押下が検知されたことによって、検知部２１４は、割り込みコマンドを発生し、ＭＰＵ部１１３に出力する。ＭＰＵ部２１３は、入力されたコマンドに基づいたシリアルデータを、シリアルデータ信号線１３を介して、無線ユニット２１のＭＰＵ部２０７に出力する。ＭＰＵ部２０７は、その信号を検知すると、これまでの録音開始処理、即ち、検知部２０９からの録音開始信号に対する応答を停止して、検知部２０９から入力される音声データのメモリ１０８への上書き保存を停止する。
【００２５】
なお、検知部２０９から入力される音声データのメモリ１０８への上書き保存処理は、操作者が、録音開始ボタン２１８を押すまで再開しない。
例えば操作者が、録音開始ボタン２１８を押した場合には、操作表示ユニット２２の検知部２１４は、録音開始ボタン２１８が押下されたことを検知する。この録音開始ボタン２１８の押下が検知されたことによって、検知部２１４は、割り込みコマンドを発生し、ＭＰＵ部１１３に出力する。ＭＰＵ部２１３は、入力されたコマンドに基づいたシリアルデータを、シリアルデータ信号線１３を介して、無線ユニット２１のＭＰＵ部２０７に出力する。ＭＰＵ部２０７は、その信号を検知すると、これまでの録音開始処理を再開する。
【００２６】
操作者が再生を行う時には、操作表示ユニット２２上の再生ボタン１１７を押下する。この結果、操作表示ユニット２２の検知部２１４は、再生ボタン１１７が押下されたことを検知する。この再生ボタン１１７の押下が検知されたことによって、検知部２１４は、割り込みコマンドを発生し、ＭＰＵ部１１３に出力する。ＭＰＵ部２１３は、入力されたコマンドに基づいたシリアルデータを、シリアルデータ信号線１３を介して、無線ユニット２１のＭＰＵ部２０７に出力する。ＭＰＵ部２０７は、その信号を検知すると、無線ユニット２１のメモリ１０８に格納されたデータを読出し、音声コーデック部１１０に出力する。以下、音声コーデック部１１０から、Ｄ／Ａ変換部１１１を経由して、スピーカ１１２によって音声化され出力され、音声が再生される。
【００２７】
上記実施例によれば、本発明によれば、音声を録音するためのメモリの容量を減らすことができる。
【符号の説明】
【００２８】
１１：無線ユニット、  １２：操作表示ユニット、  １３：シリアルデータ信号線、  ２１：無線ユニット、  ２２：操作表示ユニット、  １００：車載無線機、  １０１：配車センタ、  １０３：ＲＦ部、  １０４：変換部、  １０５：変復調部、  １０６：チャネルコーデック部、  １０７：ＭＰＵ部、  １０８：メモリ、  １１０：音声コーデック部、  １１１：Ｄ／Ａ変換部、  １１２：スピーカ、  １１３：ＭＰＵ部、  １１４：検知部、  １１７：再生ボタン、  １１８：録音ボタン、  １２０：マイク、  １２１：Ａ／Ｄ変換部、  ２００：車載無線機、  ２０７：ＭＰＵ部、  ２０９：検知部、  ２１３：ＭＰＵ部、  ２１４：検知部、  ２１８：録音開始ボタン、  ２１９：録音停止ボタン。
【図１】
2010278964.tif 000003
【図２】
2010278964.tif 000004